(57)【要約】【課題】印刷ジョブを行うと印刷物が好ましくないものになってしまうことを利用者が早期に発見することを可能にするプレビュー表示装置を提供する。【解決手段】プレビュー表示する複数のページに含まれる各ページに対して所定の目的に応じた評価値を取得する評価値取得手段と、前記複数のページの優先度を前記評価値に基づいて調整するページ優先度調整手段と、前記プレビュー優先度調整手段により優先度が調整された前記複数のページをその優先度に従ってプレビュー表示するプレビュー表示手段と、を備える。【選択図】図２０
2019115013.tif 000002
【特許請求の範囲】
【請求項１】
プレビュー表示する複数のページに含まれる各ページに対して所定の目的に応じた評価値を取得する評価値取得手段と、
前記複数のページの優先度を前記評価値に基づいて調整するページ優先度調整手段と、
前記プレビュー優先度調整手段により優先度が調整された前記複数のページをその優先度に従ってプレビュー表示するプレビュー表示手段と、
を備えることを特徴とするプレビュー表示装置。
【請求項２】
請求項１に記載のプレビュー表示装置であって、
前記評価値は、多値又は二値であることを特徴とするプレビュー表示装置。
【請求項３】
請求項１又は２に記載のプレビュー表示装置であって、
前記プレビュー表示手段が前記プレビュー表示をしてから、少なくとも一部のページに対する印刷設定を変更する印刷設定変更手段を更に備えることを特徴とするプレビュー表示装置。
【請求項４】
請求項１乃至３の何れか１項に記載のプレビュー表示装置であって、
前記プレビュー表示を部分拡大する部分拡大表示手段を更に備えることを特徴とするプレビュー表示装置。
【請求項５】
請求項１乃至４の何れか１項に記載のプレビュー表示装置であって、
前記所定の目的とは、
印刷文字が小さすぎる印刷ページを利用者が見つけること、
はみだし印刷ページを利用者が見つけること、
印刷元原稿における２番目以降のセクションが印刷ページの先頭から始まらないことを利用者が見つけること、
印刷元原稿におけるカラー部分が利用者のカラー印刷する意図に反してモノクロ印刷されようとしていることを利用者が見つけること、
印刷元原稿におけるカラー部分が利用者のモノクロ印刷する意図に反してカラー印刷されようとしていることを利用者が見つけること、
所定のキーワードが含まれるページを利用者がプレビュー画面で確認すること、
画像が含まれるページを利用者がプレビュー画面で確認すること、
表が含まれるページを利用者がプレビュー画面で確認すること、
下地消去機能が適用されたページを利用者がプレビュー画面で確認すること、
の何れか１つ又は２以上の組み合わせであることを特徴とするプレビュー表示装置。
【請求項６】
請求項５に記載のプレビュー表示装置であって、
前記評価値取得手段は、印刷文字が小さすぎる印刷ページを利用者が見つけるために、各ページに対応した前記評価値として、文字サイズに関連した評価値を各ページから取得することを特徴とするプレビュー表示装置。
【請求項７】
請求項５に記載のプレビュー表示装置であって、
前記評価値取得手段は、はみだし印刷ページを利用者が見つけるために、各ページに対応した前記評価値として、空白割合に関連した評価値を各ページから取得することを特徴とするプレビュー表示装置。
【請求項８】
請求項５に記載のプレビュー表示装置であって、
前記評価値取得手段は、印刷元原稿における２番目以降のセクションが印刷ページの先頭から始まらないことを利用者が見つけるために、各ページに対応した前記評価値として、ページの先端部付近の空白量に関連した評価値を各ページから取得することを特徴とするプレビュー表示装置。
【請求項９】
請求項５に記載のプレビュー表示装置であって、
前記評価値取得手段は、印刷元原稿におけるカラー部分が利用者のカラー印刷する意図に反してモノクロ印刷されようとしていることを利用者が見つけるために、各ページに対応した前記評価値として、カラー割合に関連した評価値を各ページから取得することを特徴とするプレビュー表示装置。
【請求項１０】
請求項５に記載のプレビュー表示装置であって、
前記評価値取得手段は、印刷元原稿におけるカラー部分が利用者のモノクロ印刷する意図に反してカラー印刷されようとしていることを利用者が見つけるために、各ページに対応した前記評価値として、カラー割合に関連した評価値を各ページから取得することを特徴とするプレビュー表示装置。
【請求項１１】
請求項５に記載のプレビュー表示装置であって、
前記評価値取得手段は、所定のキーワードが含まれるページを利用者がプレビュー画面で確認するために、各ページに対応した前記評価値として、ページに前記キーワードが含まれるか否かに関連した評価量を各ページから取得することを特徴とするプレビュー表示装置。
【請求項１２】
請求項５に記載のプレビュー表示装置であって、
前記評価値取得手段は、画像が含まれるページを利用者がプレビュー画面で確認するために、各ページに対応した前記評価値として、ページに前記画像が含まれるか否かに関連した評価量を各ページから取得することを特徴とするプレビュー表示装置。
【請求項１３】
請求項５に記載のプレビュー表示装置であって、
前記評価値取得手段は、表が含まれるページを利用者がプレビュー画面で確認するために、各ページに対応した前記評価値として、ページに前記表が含まれるか否かに関連した評価量を各ページから取得することを特徴とするプレビュー表示装置。
【請求項１４】
請求項５に記載のプレビュー表示装置であって、
前記評価値取得手段は、下地消去機能が適用されたページを利用者がプレビュー画面で確認するために、各ページに対応した前記評価値として、ページに対して前記下地消去機能が適用されたか否かに関連した評価量を各ページから取得することを特徴とするプレビュー表示装置。
【請求項１５】
請求項１乃至１４の何れか１項に記載のプレビュー表示装置を備えることを特徴とする複合機。
【請求項１６】
請求項１乃至１４の何れか１項に記載のプレビュー表示装置を備えることを特徴とする情報処理装置。
【請求項１７】
プレビュー表示する複数のページに含まれる各ページに対して所定の目的に応じた評価値を取得する評価値取得ステップと、
前記複数のページの優先度を前記評価値に基づいて調整するページ優先度調整ステップと、
前記プレビュー優先度調整手段により優先度が調整された前記複数のページをその優先度に従ってプレビュー表示するプレビュー表示ステップと、
を有することを特徴とするプレビュー表示方法。
【請求項１８】
請求項１乃至１４の何れか１項に記載のプレビュー表示装置としてコンピュータを機能させることを特徴とするプレビュー表示用プログラム。
【発明の詳細な説明】
【技術分野】
【０００１】
本発明は、プレビュー表示装置、これを備える複合機及びプレビュー表示方法に関する。
【背景技術】
【０００２】
複合機の印刷ジョブを行ったとき、印刷物の文字が小さすぎて読めないことがある。これは、もともとのレイアウトにおいて小さすぎる文字を使用していたり、用紙サイズが小さすぎることから起こる。
【先行技術文献】
【特許文献】
【０００３】
【特許文献１】特開２００９−１１６７３４号公報
【特許文献２】特開２０１０−１４９３１６号公報
【発明の概要】
【発明が解決しようとする課題】
【０００４】
印刷物の文字が小さすぎて読めないことの対処として、印刷前に字の大きさを確認するためのプレビュー表示を行うことが提案されている。例えば、特許文献1においては、最小文字サイズを設定し、それより小さい文字がある場合のプレビューでの目視等による解決策が提示されている
しかし、どのページがどのくらい読みにくいのかを鑑みてプレビュー表示の順序を決めているわけではないので、ユーザーが一番問題であるページを表示するためにそのページを探さなくてはならず、そのまま印刷してよいかどうかの判断に時間がかかる。これは、特に印刷するページ数が多い場合に顕著である。
【０００５】
特許文献２には、利用者が印刷対象データの内容まで確認できるように1ページを分割することにより得た複数の分割プレビューを個別に拡大表示する発明が記載されている。しかし、複数のページをプレビューする場合に、ユーザーが一番問題であるページを表示するためにそのページを探さなくてはならず、そのまま印刷してよいかどうかの判断に時間がかかるという問題は、依然として残る。
【０００６】
そこで、本発明は、印刷ジョブを行うと印刷物が好ましくないものになってしまうことを利用者が早期に発見することを可能にするプレビュー表示装置、複合機及びプレビュー表示方法を提供することを目的とする。
【課題を解決するための手段】
【０００７】
本発明によれば、
プレビュー表示する複数のページに含まれる各ページに対して所定の目的に応じた評価値を取得する評価値取得手段と、
前記複数のページの優先度を前記評価値に基づいて調整するページ優先度調整手段と、
前記プレビュー優先度調整手段により優先度が調整された前記複数のページをその優先度に従ってプレビュー表示するプレビュー表示手段と、
を備えることを特徴とするプレビュー表示装置が提供される。
【０００８】
また、本発明によれば、上記のプレビュー表示装置を備えることを特徴とする複合機が提供される。
【０００９】
更に、本発明によれば、上記のプレビュー表示装置を備えることを特徴とする情報処理装置が提供される。
【００１０】
更に、本発明によれば、
プレビュー表示する複数のページに含まれる各ページに対して所定の目的に応じた評価値を取得する評価値取得ステップと、
前記複数のページの優先度を前記評価値に基づいて調整するページ優先度調整ステップと、
前記プレビュー優先度調整手段により優先度が調整された前記複数のページをその優先度に従ってプレビュー表示するプレビュー表示ステップと、
を有することを特徴とするプレビュー表示方法が提供される。
【００１１】
更に、本発明によれば、上記のプレビュー表示装置としてコンピュータを機能させることを特徴とするプレビュー表示用プログラムが提供される。
【発明の効果】
【００１２】
本発明によれば、印刷ジョブを行うと印刷物が好ましくないものになってしまうことを利用者が早期に発見することが可能になる。
【図面の簡単な説明】
【００１３】
【図１】第１の実施の形態によるプレビュー表示から印刷までの第１及び第２の方法を説明するためのフローチャートである。
【図２】第１の実施の形態によるプレビュー表示から印刷までの第１の方法を説明するための他のフローチャートである。
【図３】第１の実施の形態によるプレビュー表示から印刷までの第２の方法を説明するための他のフローチャートである。
【図４】第１の実施の形態によるページに対する優先度を求める方法を説明するためのフローチャートである。
【図５】（ａ）は、本発明の第１の実施の形態によるプレビュー表示方法を適用する原稿の各ページの一例を示し、（ｂ）は、そのプレビュー表示方法によりプレビュー表示されるページの順序を示す図である。
【図６】第２の実施の形態によるページに対する優先度を求める方法を説明するためのフローチャートである。
【図７】（ａ）は、本発明の第２の実施の形態によるプレビュー表示方法を適用する原稿の各ページの一例を示し、（ｂ）は、そのプレビュー表示方法によりプレビュー表示されるページの順序を示す図である。
【図８】第３の実施の形態によるページに対する優先度を求める方法を説明するためのフローチャートである。
【図９】（ａ）は、本発明の第３の実施の形態によるプレビュー表示方法を適用する原稿の各ページの一例を示し、（ｂ）は、そのプレビュー表示方法によりプレビュー表示されるページの順序を示す図である。
【図１０】第４及び第５の実施の形態によるページに対する優先度を求める方法を説明するためのフローチャートである。
【図１１】（ａ）は、本発明の第４の実施の形態によるプレビュー表示方法を適用する原稿の各ページの一例を示し、（ｂ）は、そのプレビュー表示方法によりプレビュー表示されるページの順序を示す図である。
【図１２】（ａ）は、本発明の第５の実施の形態によるプレビュー表示方法を適用する原稿の各ページの一例を示し、（ｂ）は、そのプレビュー表示方法によりプレビュー表示されるページの順序を示す図である。
【図１３】第６の実施の形態によるページに対する優先度を求める方法を説明するためのフローチャートである。
【図１４】（ａ）は、本発明の第６の実施の形態によるプレビュー表示方法を適用する原稿の各ページの一例を示し、（ｂ）は、そのプレビュー表示方法によりプレビュー表示されるページの順序を示す図である。
【図１５】第７の実施の形態によるページに対する優先度を求める方法を説明するためのフローチャートである。
【図１６】（ａ）は、本発明の第７の実施の形態によるプレビュー表示方法を適用する原稿の各ページの一例を示し、（ｂ）は、そのプレビュー表示方法によりプレビュー表示されるページの順序を示す図である。
【図１７】第８及び第９の実施の形態によるページに対する優先度を求める方法を説明するためのフローチャートである。
【図１８】（ａ）は、本発明の第８の実施の形態によるプレビュー表示方法を適用する原稿の各ページの一例を示し、（ｂ）は、そのプレビュー表示方法によりプレビュー表示されるページの順序を示す図である。
【図１９】（ａ）は、本発明の第９の実施の形態によるプレビュー表示方法を適用する原稿の各ページの一例を示し、（ｂ）は、そのプレビュー表示方法によりプレビュー表示されるページの順序を示す図である。
【図２０】第１１の実施の形態によるプレビュー表示装置の構成を示すブロック図である。
【図２１】本発明の第１の実施の形態において表示するホーム画面を示す図である。
【図２２】本発明の第１の実施の形態において表示するコピーのための初期画面を示す図である。
【図２３】本発明の第１の実施の形態において通常時に表示するプレピー画面を示す図である。
【図２４】本発明の第１の実施の形態において原稿に小さい字が多いページが含まれている場合にダイアログ画面がポップアップされたプレビュー画面を示す図である。
【図２５】本発明の第１の実施の形態において図２４などのダイアログ画面において「はい」が選択された場合のプレビュー画面を示す図である。
【図２６】本発明の第１の実施の形態において図２５の画面において「このページのコピー倍率を変更する」の選択ボタンが押された場合のコピー倍率設定画面を示す図である。
【図２７】本発明の第１の実施の形態において図２５の画面において「このページの用紙サイズを変更する」の選択ボタンが押された場合の用紙サイズ設定画面を示す図である。
【図２８】本発明の第２の実施の形態において原稿に空白率が多いページが含まれている場合にダイアログ画面がポップアップされたプレビュー画面を示す図である。
【図２９】本発明の第３の実施の形態において原稿に先頭空白部占有率が大きいページが含まれている場合にダイアログ画面がポップアップされたプレビュー画面を示す図である。
【図３０】本発明の第４の実施の形態において原稿にカラーエリアが小さいページが含まれている場合にダイアログ画面がポップアップされたプレビュー画面を示す図である。
【図３１】本発明の第６の実施の形態において原稿にキーワードが含まれているページがある場合にダイアログ画面がポップアップされたプレビュー画面を示す図である。
【図３２】本発明の第７の実施の形態において原稿に総画像面積のページに占める割合が所定値以上であるページが含まれている場合にダイアログ画面がポップアップされたプレビュー画面を示す図である。
【図３３】本発明の第８の実施の形態において原稿に表の総面積のページに占める割合が所定値以上であるページが含まれている場合にダイアログ画面がポップアップされたプレビュー画面を示す図である。
【図３４】本発明の第１の実施の形態において原稿に下地消去処理が施されているページが含まれている場合にダイアログ画面がポップアップされたプレビュー画面を示す図である。
【図３５】本発明の第１２の実施の形態による複合機の概念的断面図である。
【図３６】本発明の第１２の実施の形態による複合機の機能ブロック図である。
【発明を実施するための形態】
【００１４】
以下、図面を参照して本発明を実施するための形態について詳細に説明する。
【００１５】
［第１の実施の形態］
本発明の第１の実施の形態は、印刷される文字が小さすぎるページを早期に発見できるようにするものである。このためには、大まかにいうと、印刷される文字が小さいページであるほど、プレビュー表示における優先度を高くする。そして、優先度が高い順にページをプレビュー表示する。こうすることにより、印刷される文字が小さすぎるページを早期に発見することができ、例えば、印刷における変倍率がより大きくなるように変更するための操作を、利用者は、早期に実行することが可能になる。
【００１６】
例えば、第１ページから第１０ページまでを印刷する場合において、最終ページである第１０ページの文字が小さすぎるために、第１０ページの変倍率を大きくするための変更が必要である場合、従来であれば、利用者が第１０ページの文字サイズが小さすぎることを発見するためには、１０ページ分のプレビュー表示を見る必要があるが、本実施形態によれば、第１０ページが最初にプレビュー表示されるため、利用者は、第１０ページの文字サイズが小さすぎることを発見するためには、１ページ分のみのプレビュー画面を見るだけで済む。この差は、印刷するページ数が多いほど顕著になる。
【００１７】
また、文字サイズが小さい順にページがプレビュー表示されるので、プレビュー表示された或るページの文字サイズが小さすぎないことを確認することができたならば、それ以降のページの文字サイズも小さすぎないことを推測することができるので、利用者は、文字サイズの確認のために、プレビュー表示をそれ以上確認する必要がないことになる。
【００１８】
プレビュー画面においては、ページの内容の他にページ番号もプレビュー表示画面に表示する。これにより、利用者は、どのページの変倍率を大きくする必要があるのかを視認することができるようになる。
【００１９】
図１及び図２は、第１の実施の形態によるプレビュー表示から印刷までの方法を説明するためのフローチャートである。
【００２０】
図１を参照すると、各ページについてのステップＳ２０１ＳからステップＳ２０１Ｅまでの繰り返しにおいて、各ページに対する優先度を求める（ステップＳ２０３）。
【００２１】
繰り返しが終了したならば、優先度に基づいてページを並べ替える（ステップＳ２０７）。具体的には、優先度が高いページほど先に並ぶようにする。
【００２２】
図２を参照すると、次に、最高優先度のページをプレビュー表示する（ステップＳ２１１）。
【００２３】
次に、次ページの要求があったならば（ステップＳ２１３でＹＥＳ）、次の優先度のページをプレビュー表示して（ステップＳ２１５）、ステップＳ２１３に戻る。但し、次のページが無い場合には、ステップＳ２１５をバイパスしてステップＳ２１３に戻る。
【００２４】
前ページの要求があったならば（ステップＳ２１７でＹＥＳ）、前の優先度のページをプレビュー表示して（ステップＳ２１９）、ステップＳ２１３に戻る。但し、前のページがない場合には、ステップＳ２１９をバイパスしてステップＳ２１３に戻る。
【００２５】
部分拡大表示の要求があったならば（ステップＳ２２１でＹＥＳ）、部分拡大表示する（ステップＳ２２３）。部分拡大表示をしているときに部分拡大表示終了の要求があったならば（ステップＳ２２５）、部分拡大表示を終了して（ステップＳ２２７）、現在の優先度のページを再びプレビュー表示して（ステップＳ２２９）、ステップＳ２１３に戻る。
【００２６】
プレビュー表示されたページの一部に対して部分拡大表示することをステップＳ２２３により行える。従って、利用者は、例えば、通常のプレビュー画面を見ただけでは変倍率を変更する必要があるかどうか判断できないが、拡大プレビュー画面を見れば変倍率を変更する必要があるかどうかを判断できる部分に対してステップＳ２２３を適用してからその判断を実際にすることができるようになる。
【００２７】
変倍率変更の要求があったならば（ステップＳ２３１）、現在の優先度のページの変倍率を変更してから（ステップＳ２３３）、再びプレビュー表示する（ステップＳ２３５）。
【００２８】
印刷の要求があったならば（ステップＳ２３７でＹＥＳ）、ページの順序をステップＳ２０７を実行する前の順序に戻してから（ステップＳ２３９）、印刷を実行する（ステップＳ２４１）。但し、ステップＳ２３９を省略してもよい。また、ステップＳ２３７の後で、現在のページのみを印刷するかを問い合わせ、ＹＥＳの回答があったならば、現在のページのみを印刷して、ステップＳ２１３に戻るようにしてもよい。
【００２９】
印刷中止の要求があったならば（ステップＳ２４３でＹＥＳ）、印刷を中止する。
【００３０】
印刷中止の要求がなかったならば（ステップＳ２４３でＮＯ）、ステップＳ２１３に戻る。
【００３１】
なお、部分拡大表示の機能をなくしてもよい。この場合は、図２の方法からステップＳ２２１、Ｓ２２３、Ｓ２２５、Ｓ２２７、Ｓ２２９を削除して、図３のような方法にする。
【００３２】
次に、ページに対する優先度を求めるためのステップＳ２０３の詳細について説明する。
【００３３】
優先度決定用文字サイズとしては、例えば、ページに含まれる最小の文字を用いてもよい。
【００３４】
また、次のようにして優先度決定用文字サイズを求めてもよい。
【００３５】
図４に示すように、まず、ページを複数のエリアに分割する（ステップＳ２６３）。エリアは、例えば、ヘッダ、フッタ及び本文の３エリアである。なお、ページによっては、ステップＳ２６３を省略して、ページに本文のみの１エリアしかなくてもよい。
【００３６】
次に、
補正後文字サイズ＝文字サイズ＋エリア対応補正値  ・・・  （１）
の計算を（ステップＳ２６９）、各エリア内にある全文字について繰り返し（ステップＳ２６７ＳからステップＳ２６７Ｅまで）、更に、これをページ内の全エリアについて繰り返す（ステップＳ２６５ＳからステップＳ２６５Ｅまで）。ここで、エリア対応補正値は、一般にエリア毎に異なる。例えば、エリア対応補正値を、本文エリアに対しては、ゼロにして、ヘッダエリアとフッタエリアに対しては、プラスの所定値にする。こうすることにより、ヘッダエリアとフッタエリアの文字サイズが本文の文字サイズよりも小さい構成のページに対応することができるようになる。
【００３７】
次に、ページ内の全文字の補正後文字サイズに基づいてページに対する優先度決定文字サイズを算出する（ステップＳ２７１）。
【００３８】
ここで、優先度決定用文字サイズとは、優先度を決めるために用いられる文字サイズのことであり、実際の文字サイズそのものや、補正後文字サイズであってもよいが、これらの何れかに基づいて所定の方法により求めるものであってもよい。
【００３９】
例えば、ページに含まれる各文字に対する補正後文字サイズを相互に比較し、最小の補正後文字サイズをページに対する優先度決定用文字サイズとしてもよい。
【００４０】
また、例えば、補正後文字サイズのページ全体に対する加重平均を優先度決定用文字サイズとしてもよい。ここで、加重係数としては、傾向としては、補正後文字サイズが小さいほど大きくなるようなものを用いてもよいし、補正後文字サイズが所定値以上ならば、ゼロになり、それ未満ならば一定の所定値となるものや補正後文字サイズに応じて変化するものを用いてもよい。
【００４１】
次に、ページに対する優先度決定文字に基づいて、ページに対する優先度を算出する（ステップＳ２７３）。具体的には、数値が大きいほど優先度が高いことを表す規則を用いるならば、優先度決定用文字サイズにマイナスの符号をつけたものを優先度としてよい。数値が小さいほど優先度が高いことを表す規則を用いるならば、優先度決定用文字サイズそのものを優先度としてよい。
【００４２】
一例として、図５（ａ）に示すように、補正後文字サイズが、第３ページ、第２ページ、第１ページの順に小さいならば、図５（ｂ）に示すように、プレビューは、この順に従って実行される。
【００４３】
次に、ユーザインターフェースを交えた説明をする。
【００４４】
まず、図２１に示すようなホーム画面において、コピーが選択されたならば、図２２に示すようなコピーのための初期画面を表示する。
【００４５】
次に、図２２に示すようなコピーのための初期画面が表示されているときに、利用者により原稿自動給送部に１ページ以上の原稿がセットされてからプレビューボタンが押されたならば、原稿読取装置は、１ページ以上の原稿を順次読み取る。
【００４６】
読取りが終了したならば、図２３に示すようなプレビューの画面を表示する。このプレビューの画面には、現在表示している読取り順のページの番号５０１とプレビュー表示するページを切り替えるためのスクロールバー５０３が表示されている。また、プレビューの画面には、プレビュー表示全体の変倍率を変更するためのボタン５０５、５０７と、変倍率を変更するためのスクロールバーを表示させるためのボタン５０９が表示されている。なお、変倍率を上げることが部分拡大に対応する。部分拡大されたプレビュー画面において、画面上において指を押下したままスライドさせることにより原稿の拡大プレビュー箇所を移動させることができる。
【００４７】
次に、読み取った各ページに対して文字認識処理をかけ、これにより各ページに含まれる文字とそのサイズを取得する。所定の方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示する。
【００４８】
図２５に示すような画面には、「このページのコピー倍率を変更する」の選択ボタン５１１と、「このページの用紙サイズを変更する」の選択ボタン５１３が追加されている。この画面において、前者の選択ボタンが押されたならば、図２６に示すような詳細設定画面を表示し、後者の選択ボタンが押されたならば、図２７に示すような詳細設定画面を表示する。
【００４９】
図２６の詳細設定画面において、コピー倍率を変更し、［OK］ボタンを押すと、この詳細設定画面が閉じて、図２５の画面に戻り、設定変更を反映したプレビューを表示する。なお、図２５の画面には、コピーを開始するためのボタン５１５、５１７、コピーを中止するためのボタン５１９も表示されているので、利用者は、コピーの実行又は中止を選択することができる。更に、ボタン５１１、５１３も表示されているので、コピー倍率又は用紙サイズを追加的に変更してから、コピーの実行をすることもできる。
【００５０】
［第２の実施の形態］
本発明の第２の実施の形態は、本来他の文字と同一ページに収まるべき文字がそのページに収まらず、はみ出した文字の印刷（「はみだし印刷」という。）をするための追加のページが発生してしまうことを早期に発見できるようにしたものである。このためには、大まかにいうと、空白率が高いページであるほど、プレビュー表示における優先度を高くする。そして、優先度が高い順にページをプレビュー表示する。こうすることにより、例えば、スプレッドシートのはみ出し部分を印刷するページ（「はみだし印刷ページ」という。）や、文書において、はみ出した僅かな行数しかないページ（「はみだし印刷ページ」という。）を早期に発見することができ、例えば、印刷における変倍率がより小さくなるように変更するための操作を、利用者は、早期に実行することが可能になる。
【００５１】
スプレッドシートを印刷する場合、スプレッドシートの変倍率の調整が不十分であると、スプレッドシートの右端部付近のみにある文字や数字のみが割り当てられるはみ出し印刷ページが発生する場合がある。また、例えば、レター文書を印刷する場合、行数が僅かであるはみ出し印刷ページが発生する場合がある。このようなページの多くは、空白率が高いため、この空白率が高いページを最初の頃にプレビュー表示することにより、早期にその内容を確認して、必要に応じて変倍率を小さくなるように変更したり、印刷を中止することができるようになる。
【００５２】
例えば、１ファイルにスプレッドシートが１０枚あり、第１０スプレッドシートにおいて、はみ出しが発生している場合を想定すると、従来であれば、発見に至るまでには、プレビュー表示を第１スプレッドシートから第１０スプレッドシートまでの各ページにつきする必要があったが、本実施形態によれば第１０スプレッドシートのはみ出しを印刷するページのみのプレビュー表示を表示するだけで、利用者は、これを発見することができるようになる。
【００５３】
第２の実施の形態によるプレビュー表示から印刷までの方法は、図１及び図２又は図３に示す第１の実施の形態によるものと同様であるので、重複した説明は省略する。
【００５４】
次に、ページに対する優先度を求めるためのステップＳ２０３の詳細について説明する。
【００５５】
図６に示すように、ページ内の各文字について、
文字面積＝フォントサイズ×フォントサイズ×正規化係数  ・・・（２）
の計算をする（ステップＳ２８１Ｓ、Ｓ２８３、Ｓ２８１Ｅ）。ここで、正規化係数は、１ポイントの文字の面積の逆数である。
【００５６】
次に、ページ内の全ての文字の面積に基づいてページあたりの総文字面積を求める（ステップＳ２８５）。
【００５７】
次に、
ページの空白率＝（用紙面積−総文字面積）／用紙面積×１００（％）・・・（３）
の計算をする（ステップＳ２８７）。
【００５８】
次に、ページの空白率に基づいてページの優先度を算出する（ステップＳ２８９）。数値が大きいほど優先度が高いことを表す規則を用いるならば、ページの空白率そのものを優先度としてよい。数値が小さいほど優先度が高いことを表す規則を用いるならば、総文字面積／用紙面積を優先度としてよい。
【００５９】
一例として、図７（ａ）に示すように、ページの空白率が、第３ページ、第２ページ、第１ページの順に大きいならば、図７（ｂ）に示すように、プレビューは、この順に従って実行される。
【００６０】
第２の実施の形態によるユーザインターフェースは、第１の実施の形態によるユーザインターフェースと同様である。
【００６１】
但し、第１の実施の形態においては、読み取った各ページに対して文字認識処理をかけ、これにより各ページに含まれる文字とそのサイズを取得し、図６に示す方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示した。
【００６２】
これに対して、第２の実施の形態では、読み取った各ページに対して文字認識処理をかけ、これにより各ページに含まれる文字とそのサイズを取得し、それらから、式（２）及び式（３）の計算をして、空白率が所定値より大きなページが含まれていると判断したならば、図２８に示すように、「空白率が高いページがあります。設定を変更しますか？」という質問が含まれるダイアログを表示し、「はい」が選択されたならば、図２５に示すような設定変更画面に遷移するためのボタンを追加して表示する。
【００６３】
［第３の実施の形態］
本発明の第３の実施の形態は、文書の２番目以降の各セクションにつき、セクションの先頭部がページの先頭部と一致しないで、セクションがページの先頭部から少し行下げした位置から始まってしまうことを早期に発見できるようにしたものである。このためには、大まかにいうと、ページの先頭部に空白部が存在して、その空白率が高いページであるほど、プレビュー表示における優先度を高くする。そして、優先度が高い順にページをプレビュー表示する。
【００６４】
通常であれば、文書にセクション区切りを入れれば、そのセクション区切りにより改ページがされ、それ以降の文書内容が新たなページの先頭部から印刷される。利用者がそれを意図していても、実際にはそうならずにセクション区切り以降の文書が新たなページの途中から始まってしまう場合がある。
【００６５】
上記のプレビュー表示をすることにより、例えば、早期にセクション区切り以降の文書が新たなページの途中から始まってしまうページを発見することができ、例えば、印刷を中止して、文書の再編集を開始するまでの時間を短縮することができる。例えば、文書に１０個のセクションがあり、第１０セクションだけ、先頭部がページの先頭にない場合を想定すると、従来であれば、発見に至るまでには、プレビュー表示を第１セクションから第１０セクションの第１ページまで、順々にページ毎にする必要があったが、本実施形態によれば、第１０セクションの第１ページが最初にプレビュー表示されるので、そのページのみのプレビュー表示を見るだけで、利用者は、第１０セクションの先頭部がページの先頭にないことを発見することができるようになる。
【００６６】
第３の実施の形態によるプレビュー表示から印刷までの方法は、図１及び図２又は図３に示す第１の実施の形態によるものと同様であるので、重複した説明は省略する。
【００６７】
次に、ページに対する優先度を求めるためのステップＳ２０３の詳細について説明する。
【００６８】
図８に示すように、まず、先頭空白部を検出する（ステップＳ３０１）。例えば、ページが開始してから１文字も印刷されない連続した行を検出する。
【００６９】
次に、先頭空白部にある各行の高さ（横書きの場合）又は、幅（縦書きの場合）などに基づいて先頭空白部総面積を求める（ステップＳ３０７）。
【００７０】
ステップＳ３０１及びステップＳ３０７を印刷データイメージの画像データ（ビットマップなど）に基づいて行ってもよい。
【００７１】
次に、
先頭空白部占有率＝先頭空白部総面積／用紙面積×１００（％）  ・・・  （４）
の計算をする（ステップＳ３０９）。
【００７２】
次に、先頭空白部総面積に基づいてページの優先度を算出する（ステップＳ３１１）。具体的には、先頭空白部占有率が大きいほど、優先度を高くする。数値が大きいほど優先度が高いことを表す規則を用いるならば、先頭空白部占有率そのものを優先度としてよい。数値が小さいほど優先度が高いことを表す規則を用いるならば、先頭空白部占有率にマイナスの符号を付けたものを優先度としてよい。
【００７３】
一例として、図９（ａ）に示すように、先頭空白部占有率が、第３ページ、第２ページ、第１ページの順に小さいならば、図９（ｂ）に示すように、プレビューは、この順に従って実行される。
【００７４】
第３の実施の形態によるユーザインターフェースは、第１の実施の形態によるユーザインターフェースと同様である。
【００７５】
但し、第１の実施の形態においては、読み取った各ページに対して文字認識処理をかけ、これにより各ページに含まれる文字とそのサイズを取得し、所定の方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示した。
【００７６】
これに対して、第３の実施の形態では、読み取った各ページの先頭空白部総面積を取得し、それらから、図８に示す方法において式（４）及び式（３）の計算をして、先頭空白部占有率が所定値より大きなページが含まれていると判断したならば、図２９に示すように、「先頭空白部占有率が高いページがあります。設定を変更しますか？」という質問が含まれるダイアログを表示し、「はい」が選択されたならば、図２５に示すような設定変更画面に遷移するためのボタンを追加して表示する。
【００７７】
［第４の実施の形態］
本発明の第４の実施の形態は、文書にカラー部分があって、本来ならば、カラー印刷するべきであるのに、利用者が、カラー部分があることに気づかずに、グレースケール印刷を選択してしまったことを早期に発見できるようにしたものである。このためには、カラー部分を含むページを優先的にカラーでプレビュー表示する。また、特に、カラー部分が小さいと、見落としにより、そのような誤りが生じる可能性が大きいので、その中でもカラー部分が少ないページを優先的にプレビュー表示する。
【００７８】
第４の実施の形態によるプレビュー表示から印刷までの方法は、図１及び図２又は図３に示す第１の実施の形態によるものと同様であるので、重複した説明は省略する。
【００７９】
次に、ページに対する優先度を求めるためのステップＳ２０３の詳細について説明する。
【００８０】
図１０に示すように、ページ内の各文字についてステップＳ３３３ＳからステップＳ３３３Ｅまでの処理を繰り返す。
【００８１】
繰り返しにおいて、フォントがグレースケール色ではないとき（ステップＳ３３５でＮＯ）、又は、装飾がグレースケール色でないときには（ステップＳ３３７でＮＯ）、新たなカラーエリアを生成し、又は既存の何れかのフォントエリアを拡張する（ステップＳ３３９）。
【００８２】
ここで、カラーエリアとは、フォント又は装飾がグレースケールでない文字が１文字以上連続したエリアとして定義したものとしている。新たに見つかったフォント又は装飾がグレースケールでない文字が既存のカラーエリアに何れかの方向において隣接するならば、そのカラーエリアを拡張する。新たに見つかったフォント又は装飾がグレースケールでない文字が既存のカラーエリアに隣接しないならば、新たなカラーエリアを生成する。
【００８３】
繰り返しが終了したならば、ページに対して生成した全てのカラーエリアのうちの最小サイズのカラーエリアに基づいて、ページに対する評価数値を求める（ステップＳ３４１）。例えば、
評価数値＝最小のカラーエリアサイズ／用紙サイズ  （カラーエリアがある場合）  ・・・  （５）
又は
評価数値＝１  （カラーエリアがない場合）  ・・・  （６）
とする。そして、評価数値が小さいほど、優先度が高いという規則を適用する。
【００８４】
一例として、図１１（ａ）に示すように、カラー部分がない第１ページの評価数値が１であり、枠で示すカラー部がある第２ページの評価数値よりも、それよりも小さい枠で示すカラー部がある第３ページの評価数値のほうが小さい場合、つまり、評価数値が第１ページから第３ページに進むにつれて小さくなる場合、図１１（ｂ）に示すように、プレビューは、評価数値が小さい順に従って実行される。
【００８５】
第４の実施の形態によるユーザインターフェースは、第１の実施の形態によるユーザインターフェースと同様である。
【００８６】
但し、第１の実施の形態においては、読み取った各ページに対して文字認識処理をかけ、これにより各ページに含まれる文字とそのサイズを取得し、所定の方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示した。
【００８７】
これに対して、第４の実施の形態では、読み取った各ページの最小のカラーエリアサイズを取得し、それらから、図１０に示す方法において式（５）又は式（６）の計算をして、評価数値が所定値より小さなページが含まれていると判断したならば、図３０に示すように、「カラーエリアが小さなページがあります。設定を変更しますか？」という質問が含まれるダイアログを表示し、「はい」が選択されたならば、図２５に示すような設定変更画面に遷移するためのボタンを追加して表示する。
【００８８】
［第５の実施の形態］
本発明の第５の実施の形態は、第４の実施の形態と同様に、文書にカラー部分があって、本来ならば、カラー印刷するべきであるのに、利用者が、カラー部分があることに気づかずに、グレースケール印刷を選択してしまったことを早期に発見できるようにしたものである。また、第４の実施の形態ではできないことであるが、文書にカラー部分があっても、本来ならば、節約などのためにグレースケール印刷するべきであるのに、カラー印刷を選択してしまったことを早期に発見できるようにしたものである。このためには、カラー原稿を優先的にプレビュー表示し、且つ、選択されたカラーモードに従った比較用プレビュー表示も並べる。
【００８９】
本実施形態の動作は、第４の実施の形態と同様であるので、重複する説明を省略する。
【００９０】
本実施形態においては、ステップＳ２１１、Ｓ２１５、Ｓ２１９、Ｓ２２９の表示において、原稿の色をそのまま維持したプレビュー表示と、選択されたカラーモードに応じたプレビュー表示を並べる。また、Ｓ２２３の部分拡大表示においても同様にしてもよい。両方を比較して、前者のプレビュー表示にカラー部分があるのに、後者のプレビュー表示の対応する部分がモノクロであることを発見すれば、文書にカラー部分があって、本来ならば、カラー印刷するべきであるのに、利用者が、カラー部分があることに気づかずに、グレースケール印刷を選択してしまったことを容易に発見することができるようになる。また、両方を比較して、前者のプレビュー表示にカラー部分があり、後者のプレビュー表示の対応する部分もカラーであることを発見すれば、文書にカラー部分があって、本来ならば、節約などのためにグレースケール印刷するべきであるのに、カラー印刷を選択してしまったことを早期に発見できるようになる。
【００９１】
第５の実施の形態においても、第４の実施の形態と同様に、ページに対する評価数値と、そのような評価数値と優先度との関係を利用する。つまり、例えば、
評価数値＝最小のカラーエリアサイズ／用紙サイズ  （カラーエリアがある場合）
・・・  （７）
又は
評価数値＝１  （カラーエリアがない場合）
・・・  （８）とする。そして、評価数値が小さいほど、優先度が高いという規則を適用する。
【００９２】
一例として、図１２（ａ）に示すように、カラー部分がない第１ページの評価数値が１であり、枠で示すカラー部がある第２ページの評価数値よりも、それよりも小さい枠で示すカラー部がある第３ページの評価数値のほうが小さい場合、つまり、評価数値が第１ページから第３ページに進むにつれて小さくなる場合、図１２（ｂ）、図１２（ｃ）に示すような順序で進むプレビューを同一画面に並べる。
【００９３】
第５の実施の形態によるユーザインターフェースは、第４の実施の形態によるユーザインターフェースと同様である。但し、原稿の色をそのまま維持したプレビュー画面と選択されたカラーモードに応じたプレビュー画面を並べる点が第４の実施の形態と異なる。
【００９４】
［第６の実施の形態］
本発明の第６の実施の形態は、特定のキーワード（例えば、「重要」、「社外秘」、「要約」など）が入っている文書を早期に確認できるようにしたものである。早期に確認したい文書によく含まれるようなキーワードを設定してから、そのキーワードを含むページを優先的にプレビュー表示する。また、そのようなキーワードは、１つには限らず、複数であってもよく、何れかのキーワードを含んでいるページを優先的にプレビュー表示するようにしてもよい。更に、発見したキーワードをプレビュー表示に並べて表示してもよい。
【００９５】
第６の実施の形態によるプレビュー表示から印刷までの方法は、図１及び図２又は図３に示す第１の実施の形態によるものと同様であるので、重複した説明は省略する。
【００９６】
次に、ページに対する優先度を求めるためのステップＳ２０３の詳細について説明する。
【００９７】
図１３に示すように、まず、発見数をゼロにリセットする（ステップＳ３５１）。
【００９８】
次に、与えられた全てのキーワードについてステップＳ３５３ＳからステップＳ３５３Ｅまでの処理を繰り返す。
【００９９】
各繰り返しにおいて、ページ内に現在のキーワードが存在するならば（ステップＳ３５５でＹＥＳ）、発見数に１を加算し（ステップＳ３５７）、キーワードを表示用に設定する（ステップＳ３５９）。
【０１００】
繰り返しが終了したならば、発見数に基づいて、優先度を求める（ステップＳ３６１）。具体的には、数値が大きいほど優先度が高いことを表す規則を用いるならば、発見数そのものを優先度としてよい。数値が小さいほど優先度が高いことを表す規則を用いるならば、発見数にマイナスの符号を付けたものを優先度としてよい。
【０１０１】
なお、発見数を、１つのキーワードにつき最大で所定値（例えば１）にしてもよい。つまり、同じキーワードが発見されたページ間で並び替えをしなくてもよい。更に、１つの発見当りの発見数をキーワードに応じて、変化させてもよい。つまり、優先度をつけるにあたりキーワード毎に異なる重要度を与えてもよい。更に、発見数を全てのキーワードにつき最大で所定値（例えば１）としてもよい。つまり、何れかのキーワードが発見されたページ間で並び替えをしなくてもよい。
【０１０２】
一例として、図１４（ａ）に示すように、第１ページ及び第３ページの発見数がゼロであり、第２ページの発見数が１である場合、図１４（ｂ）に示すように、プレビューは、発見数が多い順に従って実行される。
【０１０３】
第６の実施の形態によるユーザインターフェースは、第１の実施の形態によるユーザインターフェースと同様である。
【０１０４】
但し、第１の実施の形態においては、読み取った各ページに対して文字認識処理をかけ、これにより各ページに含まれる文字とそのサイズを取得し、所定の方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示した。
【０１０５】
これに対して、第６の実施の形態では、読み取った各ページから図１３に示す方法により発見数の計算をして、発見数がゼロでないページが含まれていると判断したならば、図３１に示すように、「特定のキーワードが含まれているページがあります。設定を変更しますか？」という質問が含まれるダイアログを表示し、「はい」が選択されたならば、図２５に示すような設定変更画面に遷移するためのボタンを追加して表示する。
【０１０６】
［第７の実施の形態］
本発明の第７の実施の形態は、画像を含んでいるページを早期に確認できるようにしたものである。このためには、画像を含んでいるページを優先的にプレビュー表示する。画像を含んでいるページの中でも、例えば、画像数の多いページを優先的に表示してもよいし、総画像面積の広いページを優先的に表示してもよい。
【０１０７】
第７の実施の形態によるプレビュー表示から印刷までの方法は、図１及び図２又は図３に示す第１の実施の形態によるものと同様であるので、重複した説明は省略する。
【０１０８】
次に、ページに対する優先度を求めるためのステップＳ２０３の詳細について説明する。
【０１０９】
図１５に示すように、まず、発見数をゼロにリセットし（ステップＳ３７１）、総画像面積もゼロにリセットする（ステップＳ３７３）。
【０１１０】
次に、ページ内の全てのオブジェクトについてステップＳ３７５ＳからステップＳ３７５Ｅまでの処理を繰り返す。
【０１１１】
繰り返しにおいては、オブジェクトが画像オブジェクトであれば（ステップＳ３７７でＹＥＳ）、発見数に１を加算し（ステップＳ３７９）、総画像面積に現在の画像オブジェクトの面積を加算する（ステップＳ３８１）。
【０１１２】
繰り返しが終了したならば、発見数又は総画像面積に基づいて優先度を求める（ステップＳ３８３）。具体的には、数値が大きいほど優先度が高いことを表す規則を用いるならば、発見数又は総画像面積そのものを優先度としてよい。数値が小さいほど優先度が高いことを表す規則を用いるならば、発見数又は総画像面積にマイナスの符号を付けたものを優先度としてよい。
【０１１３】
なお、発見数を、最大で所定値（例えば１）にしてもよい。つまり、画像が発見されたページ間で並び替えをしなくてもよい。
【０１１４】
一例として、図１６（ａ）に示すように、第１ページの発見数がゼロであり、第２ページの発見数が１であり、第３ページの発見数が２である場合、図１６（ｂ）に示すように、プレビューは、発見数が多い順に従って実行される。
【０１１５】
第７の実施の形態によるユーザインターフェースは、第１の実施の形態によるユーザインターフェースと同様である。
【０１１６】
但し、第１の実施の形態においては、読み取った各ページに対して文字認識処理をかけ、これにより各ページに含まれる文字とそのサイズを取得し、所定の方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示した。
【０１１７】
これに対して、第７の実施の形態では、読み取った各ページから図１５に示す方法により総画像面積の計算をして、総画像面積が所定値以上であるページが含まれていると判断したならば、図３２に示すように、「総画像面積が所定値以上のページがあります。設定を変更しますか？」という質問が含まれるダイアログを表示し、「はい」が選択されたならば、図２５に示すような設定変更画面に遷移するためのボタンを追加して表示する。
【０１１８】
［第８の実施の形態］
本発明の第８の実施の形態は、表を含んでいるページを早期に確認できるようにしたものである。このためには、表を含んでいるページを優先的にプレビュー表示する。表を含んでいるページの中でも、例えば、表の数の多いページを優先的に表示してもよいし、表の総面積の広いページを優先的に表示してもよい。
【０１１９】
第８の実施の形態によるプレビュー表示から印刷までの方法は、図１及び図２又は図３に示す第１の実施の形態によるものと同様であるので、重複した説明は省略する。
【０１２０】
次に、ページに対する優先度を求めるためのステップＳ２０３の詳細について説明する。
【０１２１】
図１７に示すように、まず、発見数をゼロにリセットし（ステップＳ４０１）、表の総面積もゼロにリセットする（ステップＳ４０３）。
【０１２２】
次に、ページ内の全てのオブジェクトについてステップＳ４０５ＳからステップＳ４０５Ｅまでの処理を繰り返す。
【０１２３】
繰り返しにおいては、オブジェクトが表を含んでいれば（ステップＳ４０７でＹＥＳ）、発見数に１を加算し（ステップＳ４０９）、表の総面積に現在のオブジェクトに含まれている表の面積を加算する（ステップＳ４１１）。なお、ページに含まれているオブジェクトを一つ一つ展開した後に表オブジェクトとして検出されるものがあれば、発見数に１を加算する。更に、例えば、文字列の中にシフトＪＩＳコードにより表される罫線により形成された表を発見したならば、表全体につき、発見数に１を追加し、その面積を表の総面積に追加する。
【０１２４】
繰り返しが終了したならば、発見数又は表の総面積に基づいて優先度を求める（ステップＳ４１３）。具体的には、数値が大きいほど優先度が高いことを表す規則を用いるならば、発見数又は表の総面積そのものを優先度としてよい。数値が小さいほど優先度が高いことを表す規則を用いるならば、発見数又は表の総面積にマイナスの符号を付けたものを優先度としてよい。
【０１２５】
なお、発見数を、最大で所定値（例えば１）にしてもよい。つまり、表が発見されたページ間で並び替えをしなくてもよい。
【０１２６】
一例として、図１８（ａ）に示すように、第１ページの発見数がゼロであり、第２ページの発見数が１であり、第３ページの発見数が２である場合、図１８（ｂ）に示すように、プレビューは、発見数が多い順に従って実行される。
【０１２７】
第８の実施の形態によるユーザインターフェースは、第１の実施の形態によるユーザインターフェースと同様である。
【０１２８】
但し、第１の実施の形態においては、読み取った各ページに対して文字認識処理をかけ、これにより各ページに含まれる文字とそのサイズを取得し、所定の方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示した。
【０１２９】
これに対して、第８の実施の形態では、読み取った各ページから図１７に示す方法により表の総面積の計算をして、表の総面積が所定値以上であるページが含まれていると判断したならば、図３３に示すように、「表の総面積が所定値以上のページがあります。設定を変更しますか？」という質問が含まれるダイアログを表示し、「はい」が選択されたならば、図２５に示すような設定変更画面に遷移するためのボタンを追加して表示する。
【０１３０】
［第９の実施の形態］
本発明の第９の実施の形態は、画像読取り装置により原稿を読み取ることにより取得した画像に対して下地消去機能を適用したことにより、その画像の内容が原稿の内容からどの程度変化したかを早期に確認し、必要に応じて、下地消去機能で用いる閾値などのパラメータを早期に調整できるようにしたものである。ここで、下地消去機能とは、例えば、両面印刷されている原稿において裏写りしている印刷内容を消去する機能のことである。例えば、所定の閾値以下の濃度をゼロにする設定をしていて、裏写りしている印刷内容の濃度がその閾値以下ならば、裏写りしている印刷内容を消去することができる。しかし、所定の閾値のレベルと本来読み取りたい面に印刷されている内容の濃度との関係によっては、本来読み取りたい面の内容にまで下地消去機能が適用されてしまうことがある。このような場合には、利用者は、例えば、下地消去機能が不十分となる可能性があるとしても、閾値を低下させて対応する。本実施形態では、下地消去機能が適用されたページを優先的にプレビュー表示することにより、その確認と必要に応じた調整を早期にできるようにしている。
【０１３１】
なお、画像読取り装置により読み取られた原稿の画像は、画像形成装置により印刷されたり、記憶装置に格納されたりする。
【０１３２】
また、既に表面に裏面が裏写りしている表面を画像読取り装置により読み取る場合や、裏写りのある原稿データを保持しているコンピュータからの指示によりその原稿データの印刷をする場合にも、下地消去機能を適用することができる。
【０１３３】
第９の実施の形態によるプレビュー表示から印刷までの方法は、図１及び図２又は図３に示す第１の実施の形態によるものと同様であるので、重複した説明は省略する。
【０１３４】
一例として、図１９（ａ）に示すように、第１ページに対しては下地消去処理がされておらず、第２ページ及び第３ページに対しては下地消去処理がされている場合、図１９（ｂ）に示すように、プレビューは、下地消去処理がされているページを優先して実行される。
【０１３５】
なお、上記の実施形態において、複合機に印刷を行わせるコンピュータのデバイスドライバが上記のプレビュー表示機能を持つようにしてもよいし、コンピュータから印刷指示を受けた複合機が上記のプレビュー表示機能を持つようにしてもよい。
【０１３６】
また、変倍率調整を実施する実施形態においては、複合機に印刷を行わせるコンピュータのデバイスドライバがこのような変倍率調整機能を持つようにしてもよいし、コンピュータから印刷指示を受けた複合機がこのような変倍率調整機能を持つようにしてもよい。
【０１３７】
更に、複合機は、原稿読取装置を用いてスキャンした複数ページの原稿をまとめて印刷する前において、プレビュー表示機能を働かせても良いし、記憶装置から読み出した複数ページの原稿をまとめて印刷する前において、プレビュー表示機能を働かせても良い。
【０１３８】
更に、複合機は、複数ページの原稿の送信（例えば、ファクシミリ送信、メール送信）の前にプレビュー表示機能を働かせてもよい。
【０１３９】
第９の実施の形態によるユーザインターフェースは、第１の実施の形態によるユーザインターフェースと同様である。
【０１４０】
但し、第１の実施の形態においては、読み取った各ページに対して文字認識処理をかけ、これにより各ページに含まれる文字とそのサイズを取得し、所定の方法により文字の小さいページが含まれていると判断したならば、図２４に示すように、「小さい字が多いページがあります。設定を変更しますか？」という質問が含まれるダイアログを表示し、「はい」が選択されたならば、図２５に示すような設定変更画面に遷移するためのボタンを追加して表示した。
【０１４１】
これに対して、第９の実施の形態では、読み取った各ページが下地消去処理がされているかを判断し、下地消去処理が施されているページが含まれていると判断したならば、図３４に示すように、「下地消去処理がされているページがあります。設定を変更しますか？」という質問が含まれるダイアログを表示し、「はい」が選択されたならば、図２５に示すような設定変更画面に遷移するためのボタンを追加して表示する。
【０１４２】
［第１０の実施の形態］
第１０の実施の形態は、第１乃至第９の実施の形態を組み合わせたものである。例えば、第１の実施の形態乃至第９の実施の形態にうちの幾つかの実施の形態において優先的にプレビューさせるべきページを優先的にプレビューして、それから後に何れの実施形態においても優先的にプレビューさせる必要がないページをプレビューするようにしてもよい。また、幾つかの実施形態における評価値を複合させて優先度を決めるようにしてもよい。
【０１４３】
［第１１の実施の形態］
図２０は、第１乃至第１０の実施の形態によるプレビュー表示方法を実行するための、第１１の実施の形態によるプレビュー表示装置の構成を示すブロック図である。
【０１４４】
図２０を参照すると、プレビュー表示装置は、評価値取得部４０１、ページ優先度調整部４０３、プレビュー表示部４０５、部分拡大表示部４０７及び印刷設定変更部４０９を含む。
【０１４５】
評価値取得部４０１は、プレビュー表示する複数のページに含まれる各ページに対して所定の目的に応じた評価値を取得する。
【０１４６】
ページ優先度調整部４０３は、複数のページの優先度を前記評価値に基づいて調整する。
【０１４７】
プレビュー表示部４０５は、プレビュー優先度調整部４０３により優先度が調整された複数のページをその優先度に従ってプレビュー表示する。
【０１４８】
部分拡大表示部４０７は、プレビュー表示を部分拡大する。
【０１４９】
印刷設定変更部４０９は、プレビュー表示部４０５がプレビュー表示をしてから、少なくとも一部のページに対する画像形成部３０における印刷設定を変更する。
【０１５０】
［第１２の実施の形態］
第１２の実施の形態は、第１乃至第９の実施の形態による原稿読取装置を含む複合機８００に関するものである。図３５及び図３６は、複合機８００の構成などを示すものである。
【０１５１】
図３５及び図３６に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【０１５２】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【０１５３】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図３５に示す構成要素の他に、図３６は示されないが図３５に示される構成要素も含む。また、図３６に示すように、読取装置本体８２２には、原稿台８２６が備わる。
【０１５４】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【０１５５】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【０１５６】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【０１５７】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１５８】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１５９】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１６０】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１６１】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図３５の紙面の手前側に対応し、裏面側は図３５の背面側に対応する。
【０１６２】
図３６に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【０１６３】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１６４】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【０１６５】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１６６】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１６７】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１６８】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１６９】
なお、上記のプレビュー表示装置は、ハードウェア、ソフトウェア又はこれらの組合わせにより実現することができる。また、上記のプレビュー表示装置により行なわれるプレビュー表示方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１７０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１７１】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１７２】
本発明は、原稿のプレビュー表示に利用することができる。
【符号の説明】
【０１７３】
８００  複合機
８４３  操作パネル
８４５  表示部
８４７  入力部
６０１  価値取得部
６０３  ページ優先度調整部
６０５  プレビュー表示部
６０７  部分拡大表示部
６０９  印刷設定変更部
【図１】
2019115013.tif 000003
【図２】
2019115013.tif 000004
【図３】
2019115013.tif 000005
【図４】
2019115013.tif 000006
【図５】
2019115013.tif 000007
【図６】
2019115013.tif 000008
【図７】
2019115013.tif 000009
【図８】
2019115013.tif 000010
【図９】
2019115013.tif 000011
【図１０】
2019115013.tif 000012
【図１１】
2019115013.tif 000013
【図１２】
2019115013.tif 000014
【図１３】
2019115013.tif 000015
【図１４】
2019115013.tif 000016
【図１５】
2019115013.tif 000017
【図１６】
2019115013.tif 000018
【図１７】
2019115013.tif 000019
【図１８】
2019115013.tif 000020
【図１９】
2019115013.tif 000021
【図２０】
2019115013.tif 000022
【図２１】
2019115013.tif 000023
【図２２】
2019115013.tif 000024
【図２３】
2019115013.tif 000025
【図２４】
2019115013.tif 000026
【図２５】
2019115013.tif 000027
【図２６】
2019115013.tif 000028
【図２７】
2019115013.tif 000029
【図２８】
2019115013.tif 000030
【図２９】
2019115013.tif 000031
【図３０】
2019115013.tif 000032
【図３１】
2019115013.tif 000033
【図３２】
2019115013.tif 000034
【図３３】
2019115013.tif 000035
【図３４】
2019115013.tif 000036
【図３５】
2019115013.tif 000037
【図３６】
2019115013.tif 000038